(57)【要約】      （修正有）【課題】家具あるいは収納庫等において、蝶番によって取り付けられた扉を閉止位置で保持するためのマグネットキャッチを提供する。【解決手段】マグネットホルダー１３は、外周にネジが設けられている筒体からなり、内部マグネット等が保持されている。スライダー１５は、前記マグネットホルダー１３を挿入するネジが内部の内周に設けられており、前記マグネットホルダー１３が回動することにより、マグネット１２を出し入れすることができる。マグネットキャップ１４は、マグネットホルダー１３の他端に嵌合し、前記マグネット１２およびヨーク１１が抜け出すのを押さえるとともに、前記スライダー１５の内周と当接する当接部を有する。マグネットキャッチは、マグネットキャップ１４の当接部がスライダー１５の内周面に当接するため、この部分にフリクションが発生し、前記マグネットホルダー１３を回転した後、止めた位置が緩んで変わることがない。【選択図】図１
2011144510.tif 000002
【特許請求の範囲】
【請求項１】
一対のヨークによって挟持されているマグネットと、
外周にネジが設けられている筒体の内部一端に前記マグネットおよびヨークを保持するマグネットホルダーと、
前記マグネットホルダーを挿入するネジが内部に設けられているスライダーと、
前記スライダーの内周と当接する当接部を有する前記マグネットホルダーの他端に嵌合するマグネットキャップと、
前記マグネットおよびマグネットキャップが取り付けられたマグネットホルダーを組み込んだスライダーが設けられたハウジングと、
から少なくとも構成されており、前記マグネットホルダーの一端を回動することにより、前記マグネットおよびヨークの位置を変えることができることを特徴とするマグネットキャッチ。
【請求項２】
一対のヨークによって挟持されているマグネットと、
外周にネジが設けられている筒体の内部一端に前記マグネットおよびヨークを保持するマグネットホルダーと、
前記マグネットホルダーを挿入するネジが内部に設けられているスライダーと、
前記スライダーの内周と当接する当接部を有する前記マグネットホルダーの他端に嵌合するマグネットキャップと、
前記マグネットおよびマグネットキャップが取り付けられたマグネットホルダーを組み込んだスライダーが設けられたハウジングと、
前記スライダーとハウジングの間に設けられた選択的に進退係止可能なラッチ機構と、
から少なくとも構成されており、前記マグネットホルダーの一端を回動することにより、前記マグネットおよびヨークの位置を変えることができることを特徴とするマグネットキャッチ。
【請求項３】
前記マグネットキャップの当接部は、前記スライダーの内周面との間にフリクションが発生する形状になっていることを特徴とする請求項１または請求項２に記載されたマグネットキャッチ。
【請求項４】
前記マグネットキャップに設けられた突起部は、前記マグネットホルダーの開口部に係合していることを特徴とする請求項１から請求項３のいずれか１項に記載されたマグネットキャッチ。
【発明の詳細な説明】
【技術分野】
【０００１】
本発明は、家具あるいは収納庫等において、蝶番によって取り付けられた扉を閉止位置で保持するためのマグネットキャッチに関するものである。本発明は、マグネットの位置が移動するのを阻止するマグネットキャップの当接面にフリクションを持たせることにより、たとえ、扉を閉塞する際に衝撃があっても、前記マグネットの位置が変わらないマグネットキャッチに関するものである。
【背景技術】
【０００２】
図５は従来のマグネットキャッチを説明するための図である。図５において、たとえば、登録実用新案第３０３９２２１号明細書には、従来のマグネットキャッチが記載されている。前記マグネットキャッチ５１は、マグネット５２と、前記マグネット５２を保持する一対のヨーク５３、５３′と、前記マグネット５２およびヨーク５３を取り付ける筒体５４と、前記筒体５４を回転操作させる回転操作用フランジ５６と、前記筒体５４の位置を調整できるハウジング５５と、前記ハウジングを取り付ける取付体５７とから少なくとも構成されている。
【０００３】
前記取付体５７は、図示されていない家具あるいは収納庫等に開口５５７によってビス止めする。前記筒体５４は、外周面にネジが設けられ、また、前記ハウジング５５の内周面に設けられた前記ネジと螺合するネジが設けられている。前記マグネット５２および一対のヨーク５３、５３′は、前記回転操作用フランジ５６を回転することにより、マグネット５２の位置を変えることができ、図示されていない扉を所定位置において、吸着固定することができる。
【先行技術文献】
【特許文献】
【０００４】
【特許文献１】登録実用新案第３０３９２２１号公報
【発明の概要】
【発明が解決しようとする課題】
【０００５】
図５に記載されたマグネットキャッチ５１は、前記マグネット５２等を取り付けた筒体５４を回転操作用フランジ５５によって回転させて、前記ハウジング５５と前記筒体５４の位置関係を調整している。前記従来のマグネットキャッチ５１は、扉を閉塞した際の衝撃により、前記扉の当たり面の位置がずれてしまうという問題があった。
【０００６】
以上のような課題を解決するために、本発明は、扉の当たり面における位置ずれのないマグネットキャッチを提供することを目的とする。また、本発明は、マグネット等を押さえるマグネットキャップをスライダーのネジ溝より、軟質材料として突起部を設け、スライダーの内面と、前記マグネットキャップに設けられた突起部とのフリクションによって、前記扉の当たり面における位置ずれを防止できるマグネットキャッチを提供することを目的とする。
【課題を解決するための手段】
【０００７】
（第１発明）
第１発明のマグネットキャッチは、一対のヨークによって挟持されているマグネットと、外周にネジが設けられている筒体の内部一端に前記マグネットおよびヨークを保持するマグネットホルダーと、前記マグネットホルダーを挿入するネジが内部に設けられているスライダーと、前記スライダーの内周と当接する当接部を有する前記マグネットホルダー
の他端に嵌合するマグネットキャップと、前記マグネットおよびマグネットキャップが取り付けられたマグネットホルダーを組み込んだスライダーが設けられたハウジングとから少なくとも構成されており、前記マグネットホルダーの一端を回動することにより、前記マグネットおよびヨークの位置を変えることができることを特徴とする。
【０００８】
（第２発明）
第２発明のマグネットキャッチは、一対のヨークによって挟持されているマグネットと、外周にネジが設けられている筒体の内部一端に前記マグネットおよびヨークを保持するマグネットホルダーと、前記マグネットホルダーを挿入するネジが内部に設けられているスライダーと、前記スライダーの内周と当接する当接部を有する前記マグネットホルダーの他端に嵌合するマグネットキャップと、前記マグネットおよびマグネットキャップが取り付けられたマグネットホルダーを組み込んだスライダーが設けられたハウジングと、前記スライダーとハウジングの間に設けられた選択的に進退係止可能なラッチ機構と、から少なくとも構成されており、前記マグネットホルダーの一端を回動することにより、前記マグネットおよびヨークの位置を変えることができることを特徴とする。
【０００９】
（第３発明）
第３発明のマグネットキャッチにおいて、前記マグネットキャップの当接部は、前記スライダーの内周面との間にフリクションが発生する形状になっていることを特徴とする。
【００１０】
（第４発明）
第４発明のマグネットキャッチにおいて、前記マグネットキャップに設けられた突起部は、前記マグネットホルダーの開口部に係合していることを特徴とする。
【発明の効果】
【００１１】
本発明によれば、マグネットキャップの外周方向に向けて突出して設けられた当接部がスライダーの内周面に当接するような形状になっているため、前記当接部と前記スライダーの内周面との間に強いフリクションが発生し、前記マグネットホルダーを回転した後、止めた位置が変わらない。
【００１２】
本発明によれば、前記マグネットホルダーに設けられた凹部は、マグネットキャップの前記当接部が回転するのを防止することができるため、強いフリックションを発生することができ、前記マグネットホルダーに設けられたマグネットの位置が変わらない。
【００１３】
本発明によれば、前記マグネットキャップは、前記スライダーと比較してやや柔らかい合成樹脂部材から構成することにより、前記マグネット等の抜け止めおよび当接面におけるフリクションを同時に与えることができる。
【図面の簡単な説明】
【００１４】
【図１】本発明の実施例であるマグネットキャッチにおける各部を組み立てる前の全体図である。（実施例１）
【図２】（イ）および（ロ）は本発明の実施例であるマグネットキャッチの各部を組み立てた際の平面図および断面図である。
【図３】（イ）から（ハ）は本発明の実施例であるマグネットキャッチにおけるマグネットホルダーを説明するための斜視図、断面図、および側面図である。
【図４】（イ）本発明の実施例であるマグネットキャップおよびマグネットホルダーの組立図、（ロ）はマグネットキャップを組み込んだマグネットホルダーの斜視図である。
【図５】従来のマグネットキャッチを説明するための図である。
【発明を実施するための形態】
【００１５】
（第１発明）
第１発明のマグネットキャッチは、マグネットが設けられているマグネットホルダーと、前記マグネットホルダーを挿入するスライダーと、前記マグネットホルダーおよびスライダーを組み込むハウジングとから少なくとも構成されている。前記マグネットホルダーは、外周にネジが設けられている筒体から構成されており、内部一端に一対のヨークによって挟持されているマグネットが保持されている。また、前記一対のヨークによって挟持されているマグネットは、先端部において、前記ヨークより僅かに突出している。
【００１６】
前記スライダーは、前記マグネットホルダーを挿入するネジが内部の内周に設けられており、前記マグネットホルダーが回動することにより、前記マグネットを出し入れすることができる。前記マグネットキャップは、マグネットホルダーの他端に嵌合し、前記マグネットおよびヨークが抜け出すのを押さえるとともに、前記スライダーの内周と当接する当接部を有する。また、前記マグネットホルダーは、マグネット等を他端から挿入した際に、一端で停止するような形状に成形されている。前記マグネットおよびマグネットキャップが取り付けられたマグネットホルダーは、スライダーに組み込まれた後、前記ハウジング内に設けられている。
【００１７】
前記構成のマグネットキャッチは、前記マグネットキャップの当接部がスライダーの内周面に当接するため、この部分にフリクションが発生し、前記マグネットホルダーを回転した後、止めた位置が緩んで変わることがない。
【００１８】
（第２発明）
第２発明のマグネットキャッチは、前記スライダーとハウジングの間に選択的に進退係止可能なラッチ機構が設けられている点で第１発明と異なっている。前記ラッチ機構は、前記マグネットホルダーが押されることにより、ロックレバーによるロックを解除して、スプリングの力により、前記スライダーが前方に所定距離だけ突出する。前記ラッチ機構は、周知の機構を利用することができる。
【００１９】
（第３発明）
第３発明のマグネットキャッチは、前記マグネットキャップに設けられた当接部が前記マグネットホルダーの周囲から突出できる凹部が前記マグネットホルダーの筒体に設けられている。前記当接部は、前記筒体から突出している部分が前記スライダーの内周面に当たり、この間にフリクションが発生する。また、前記マグネットホルダーに設けられた凹部は、マグネットキャップの当接部が回転することなく、フリックションを発生する。前記フリクションは、前記マグネットホルダーが緩むのを防止することができる。
【００２０】
（第４発明）
第４発明のマグネットキャップは、前記マグネットキャップに設けられた突起部が嵌合し、抜け止めとなる開口部が前記マグネットホルダーに設けられている。前記マグネットキャップは、前記スライダーと比較してやや柔らかい合成樹脂部材から構成することにより、挿入する際の摩擦力が大きくなり、開口部に挿入され、通常の操作では外れないような構成になっている。
【実施例１】
【００２１】
図１は本発明の実施例であるマグネットキャッチにおける各部を組み立てる前の全体図
である。本発明のマグネットキャッチ１０は、マグネット１２が設けられているマグネットホルダー１３と、前記マグネットホルダー１３を挿入するスライダー１５と、前記マグネットホルダー１３およびスライダー１５を組み込むハウジング１７とから少なくとも構成されている。また、前記マグネットキャッチ１０は、合成樹脂製成形品とマグネット等から少なくとも構成されているとともに、一対のヨーク１１、１１′によって挟持されている。また、前記マグネット１２は、一対のヨーク１１、１１′の端部凸起１１１、１１１′と、回動自在なつまみ部１３１との間により、脱落しないような形状が設けられている。
【００２２】
図２（イ）および（ロ）は本発明の実施例であるマグネットキャッチの各部を組み立てた際の平面図および断面図である。なお、図２における（イ）および（ロ）は寸法関係が一致していない。図３（イ）から（ハ）は本発明の実施例であるマグネットキャッチにおけるマグネットホルダーを説明するための斜視図、断面図、および側面図である。図４（イ）本発明の実施例であるマグネットキャップおよびマグネットホルダーの組立図、（ロ）はマグネットキャップを組み込んだマグネットホルダーの斜視図である。図２から図４において、前記マグネットホルダー１３は、外周にネジ１３３が設けられている筒体から構成されている。また、前記筒体は、内部の一端に一対のヨーク１１、１１′によって挟持されているマグネット１２が保持されている。
【００２３】
前記マグネットホルダー１３は、前記マグネットホルダー１３を進退させるために回動自在なつまみ部１３１と、先端部に前記マグネット１２が突出する先端開口部１３２と、外周に設けられたネジ１３３と、前記筒体の一部に設けられた胴部開口部１３４と、他端に設けられた端部凹部１３５が設けられている。前記マグネットホルダー１３の先端に形成されている前記先端開口部１３２の形状は、マグネット１２の先端を突出させるとともに、前記ヨーク１１、１１′と前記マグネット１２が外部に落下するのを防止するような形状になっている。
【００２４】
図４（イ）において、前記マグネットホルダー１３は、他端にマグネットキャップ１４が嵌合されることにより、前記マグネット１２およびヨーク１１、１１′が脱落せずに、固定している。また、前記マグネットキャップ１４は、前記後述するスライダー１５と比較して、僅かに柔らかい軟質部材からなる合成樹脂製成形品からなる。前記マグネットキャップ１４は、一端に磁石当接部１４１と、側部両端に嵌合凸部１４２と、他端の両側部に、後述するスライダー１５の内部と当接する係合凸部１４３とから少なくとも構成されている。
【００２５】
また、前記マグネットキャップ１４の胴部には、たとえば、貫通孔１４４を設けることができる。前記貫通孔１４４は、任意に設けることができ、マグネットキャップ１４に必要な弾性を持たせるために都合の良い大きさおよび／または形状である。前記マグネットキャップ１４の弾性は、マグネットホルダー１３に嵌合することができ、嵌合凸部１４２の両端を強く押すことにより、外すことができる。
【００２６】
前記マグネットキャップ１４は、マグネットホルダー１３にマグネット１２およびヨーク１１、１１′を嵌入させた後、他端部から嵌合させる。前記マグネットキャップ１４は、前記マグネットホルダー１３に押し込まれると、前記嵌合凸部１４２が前記マグネットホルダー１３に設けられた胴部開口部１３４に嵌合されて、マグネット１２およびヨーク１１、１１′の脱落を防止することができる。また、前記マグネットキャップ１４に設けられた係合凸部１４３は、マグネットホルダー１３５に設けられた端部凹部１３５に嵌合した際に、回転が止められるとともに、一部が外部突出して、後述するスライダー１５の内面と当接して、フリクションを発生する当接部となる。
【００２７】
前記スライダー１５は、前記マグネットホルダー１３を挿入するネジ１５１が内部の内周に設けられている。前記マグネットホルダー１３は、外周に設けられたネジ１３３と、前記スライダー１５の内周に設けられたネジ１５１とが螺合し、前記つまみ部１３１を回動することにより、前記マグネット１２の位置を出し入れすることができる。前記マグネットキャップ１４は、マグネットホルダー１３の他端に嵌合し、前記マグネット１２およびヨーク１１、１１′が外部に抜け出すのを押さえている。
【００２８】
前記マグネットキャップ１４は、嵌合凸部１４２と、マグネットホルダー１３の胴部開口部１３４との嵌合により、前記マグネット１２およびヨーク１１、１１′の脱落を防止する。また、前記マグネットキャップ１４の係合凸部１４３は、前記スライダー１５の内周と当接する当接部を有する。前記マグネットキャッチ１０は、前記マグネットキャップ１４における係合凸部１４３の当接部がスライダー１５の内周面に当接するため、この部分にフリクションが発生し、前記マグネットホルダー１３を回転した後、止めた位置が緩んで変わることがない。
【００２９】
前記マグネットキャップ１４に設けられた係合凸部１４３は、前記マグネットホルダー１３の周囲から突出できる端部凹部１３５が設けられ、前記スライダー１５の内周面と当接する当接部が形成されている。また、前記当接部は、前記端部凹部１３５によって回転が止められることにより、前記当接部と前記スライダーの内周面との間に高いフリクションが発生し、マグネットホルダー１３の回転が止められる。すなわち、前記フリクションは、前記マグネットホルダー１３に設けられたマグネット１２の位置が変わることがない。前記スライダー１５は、図１に示すハウジング１７に取り付けられている。
【実施例２】
【００３０】
図１および図２において、第２実施例のマグネットキャッチは、マグネットホルダー１３が飛び出るようにするためのスプリング１６および前記スプリング１６の係合および解除を行うことができるラッチ機構１８（周知の機構であるこめ、詳細を省略する）を備えている。前記スライダー１５は、スプリング１６を係合する環状凸部１５２と、前記スプリングを入れる凹部１５３とから少なくとも構成されている。
【００３１】
ハウジング１７は、スライダー１５に嵌合するとともに、前記スプリング１６の他端内部に挿入できる凸起部１７１と、前記ラッチ機構１８が設けられている。また、前記ハウジング１７は、家具または収納庫（図示されていない）に取り付けるための取付部１７３、１７３′があり、ビス１７４、１７４′により、所定位置に取り付けられる。前記スライダー１５およびハウジング１７は、前記ラッチ機構１８のバネ１８２（公知の機構であるため、止め方等を省略する）によりマグネットホルダー１３を選択的に進退係止可能な状態にすることができる。
【００３２】
以上、本発明の実施例を詳述したが、本発明は、前記実施例に限定されるものではない。そして、本発明は、特許請求の範囲に記載された事項を逸脱することがなければ、種々の設計変更を行うことが可能である。たとえば、マグネットホルダー、スライダー、ラッチ機構、およびハウジングは、家具あるいは収納庫の使用目的、形状等に合わせることが可能である。また、本発明のマグネットキャッチは、任意の材料を選択することができるが、マグネットキャップとスライダーの硬さをほぼ同じにすることも可能である。
【符号の説明】
【００３３】
１０・・・マグネットキャッチ
１１、１１′・・・ヨーク
１２・・・マグネット
１３・・・マグネットホルダー
１３１・・・つまみ部
１３２・・・先端開口部
１３３・・・ネジ
１３４・・・胴部開口部
１３５・・・端部凹部
１４・・・マグネットキャップ
１４１・・・磁石当接部
１４２・・・嵌合凸部
１４３・・・係合凸部
１５・・・スライダー
１５１・・・ネジ
１６・・・スプリング
１７・・・ハウジング
１８・・・ラッチ機構
【図１】
2011144510.tif 000003
【図２】
2011144510.tif 000004
【図３】
2011144510.tif 000005
【図４】
2011144510.tif 000006
【図５】
2011144510.tif 000007